(57)【要約】      （修正有）【課題】段ボールシートによる簡単な構成の折り畳み式多重棚を提供する。【解決手段】段ボールシートにより構成される多重棚は、積層される複数の棚板と、これら棚板の間に配置される複数の箱体３とから成る。各箱体３は、順に連設した上面板５と第１側面板６と底面板７と第２側面板８とで角筒状に形成されて、角筒の開口部１５を第１側面板６及び第２側面板８の上面板５と底面板７の何れにも連接しない辺にそれぞれ設けた蓋面板１０，１１，１２，１３によって閉塞されて製箱される。そして、これらの蓋面板が閉塞されたとき、蓋面板にそれぞれ連接して設けた折込片が角筒内に収容されて、箱体３は支持されることになる。【選択図】図４
0003193284.tif 000002
【実用新案登録請求の範囲】
【請求項１】
段ボールシートにより構成される多重棚であって、
積層される複数の棚板と、
前記棚板の間に配置される複数の箱体と、
から成り、
前記箱体は、順に連設した上面板と第１側面板と底面板と第２側面板とで角筒状に製箱されて、前記第１側面板及び前記第２側面板の前記上面板と前記底面板の何れにも連接しない辺にそれぞれ設けた蓋面板によって前記角筒の開口部を閉塞すると共に、閉塞時には前記蓋面板に連接して設ける折込片を前記角筒内に収容して、前記上面板と前記底面板とが上下に配置される前記棚板のそれぞれの表面と接合されることを特徴とする折り畳み式多重棚。
【請求項２】
前記第１側面板及び前記第２側面板のそれぞれには、前記上面板と前記底面板と連接していない左右の両辺に前記蓋面板が形成されて、左右の前記蓋面板の前記折込片は互いの面どうしが接触した状態で角筒内に折り込まれることを特徴とする請求項１に記載の折り畳み式多重棚。
【請求項３】
複数の前記箱体は、上下で隣り合う上下の蓋面板の向く方向が互い違いとなるように配置することを特徴とする請求項１又は請求項２に記載の折り畳み式多重棚。
【請求項４】
前記棚板は、下方から上方に積み重ねるごとに表面積を小とすることを特徴とする請求項１乃至３に記載の折り畳み式多重棚。
【請求項５】
前記箱体は、下方から上方に積み重ねるごとに前記上面板と前記底面板の面積を小とすることを特徴とする請求項４に記載の折り畳み式多重棚。
【考案の詳細な説明】
【技術分野】
【０００１】
本考案は、収納棚や展示棚等に利用可能な多重棚に関し、組み立て及び解体が容易な折り畳み式多重棚に関する。
【背景技術】
【０００２】
家庭や飲食店等にあって、菓子や果物、また小物などを何段にも載せて手軽にテーブルや台の上に置いておけるような棚の要望がある。しかしながら、このような多重棚は、木製やスチール製で構成されるのが一般的であり、テーブルや台の上に置くには大きすぎ、手軽にテーブルや台の上に置いておく用途にはそぐわない。
【０００３】
よって、紙素材を使用することで小型化及び軽量化を実現する簡易棚も実用に供されている。このような紙製の棚としては、段ボールシートによって棚板を構成すると共に、棚板を支持する支持脚を紙筒で構成した簡易棚が知られている（例えば、特許文献１を参照）。
【先行技術文献】
【特許文献】
【０００４】
【特許文献１】特開平９−１６８４３５号公報
【考案の概要】
【考案が解決しようとする課題】
【０００５】
しかしながら、特許文献１による簡易棚は、製品として運送するとき棚の状態のままであると荷が嵩張り、しかも素材が紙製であるために運搬途中での破損の虞もある。そのため、棚板と支持柱とに分解して送ると、実際に使用するときには組み立てる作業が必要となる。そして、使用しなくなったときには、収納場所を大きく取ることなくコンパクトに保管するには分解しなければならなくなる。しかし、従来の紙製簡易棚は、紙製で重量は軽くとも使用する場合には、木製やスチール製の棚と同様に手間の掛るものであった。
【０００６】
上記点から、本発明は、段ボールシートで構成した多重棚において、運送時や持ち運ぶときに紙製の利点を生かして折り畳みが可能な棚を提供することを目的とする。
【課題を解決するための手段】
【０００７】
本考案による折り畳み式多重棚は、段ボールシートにより構成される多重棚であって、積層される複数の棚板と、前記棚板の間に配置される複数の箱体と、から成り、前記箱体は、順に連設した上面板と第１側面板と底面板と第２側面板とで角筒状に製箱されて、前記第１側面板及び前記第２側面板の前記上面板と前記底面板の何れにも連接しない辺にそれぞれ設けた蓋面板によって前記角筒の開口部を閉塞すると共に、閉塞時には前記蓋面板に連接して設ける折込片を前記角筒内に収容して、前記上面板と前記底面板とが上下に配置される前記棚板のそれぞれの表面と接合されることを特徴としている。
【０００８】
また、前記第１側面板及び前記第２側面板のそれぞれには、前記上面板と前記底面板と連接していない左右の両辺に前記蓋面板が形成されて、左右の前記蓋面板の前記折込片は互いの面どうしが接触した状態で角筒内に折り込まれる。これにより、箱体は折込片によって内方から支持されて、多重棚が補強されることになる。
【０００９】
このとき、複数の前記箱体は、上下で隣り合う上下の蓋面板の向く方向が互い違いとなるように配置するとよい。そうすることで、多重棚は、異なる方向から支持されるために、強固な補強となる。
【００１０】
一方、前記棚板は、下方から上方に積み重ねるごとに表面積を小となるように構成するとよい。また、前記箱体は、下方から上方に積み重ねるごとに前記上面板と前記底面板の面積を小となるようにしてもよい。
【考案の効果】
【００１１】
本考案によれば、上面板と第１側面板と底面板と第２側面板とで形成した角筒の開口部を蓋面板により閉塞して製箱する構成であるため、蓋面板を開放することで容易に箱体が潰れて折り畳むことができる多重棚が提供される。したがって、棚を支持するための特別な部材を必要とせず、簡単な構造の多重棚とすることができる。
【図面の簡単な説明】
【００１２】
【図１】本考案に係わる折り畳み式多重棚の外観斜視図を示す。
【図２】本考案に係わる折り畳み式多重棚の平面からの外観斜視図を示す。
【図３】本考案に係わる折り畳み式多重棚を構成する箱体の第１実施例を段ボールシートの展開図で示す。
【図４】図３の箱体の組み立てを外観斜視図で示す。
【図５】本考案に係わる折り畳み式多重棚を構成する箱体の第２実施例を段ボールシートの展開図で示す。
【図６】箱体の側面形状の他の例を示す。
【図７】図１の折り畳み式多重棚を折り畳んだ状態を平面から示す。
【図８】本考案に係わる折り畳み式多重棚を構成する箱体の第３実施例を段ボールシートの展開図で示す。
【図９】本考案に係わる折り畳み式多重棚を構成する箱体の第４実施例を段ボールシートの展開図で示す。
【図１０】本考案に係わる折り畳み式多重棚の折り畳み方の一例の説明図を示す。
【考案を実施するための形態】
【００１３】
以下に、本考案の実施の形態に係る折り畳み式多重棚の構成について、図面を参照しながら詳細に説明する。
【００１４】
図１は、折り畳み式多重棚１を外観斜視図で示しており、底板となる棚板２Ａと天板となる棚板２Ｂの間に複数の棚板２を積み重ねて、各棚２，２Ａ，２Ｂの間には支持するための箱体３を配置することで多重棚を構成している。そして、棚板２，２Ａ，２Ｂ及び箱体３は、何れも段ボールシートを加工して構成されている。
【００１５】
棚２，２Ａ，２Ｂは、図２で示すように、上に積層されるにつれて一定の比率で表面積が小さくなる同心円で構成されている。これにより、側面から観るとツリー形状となりテーブル等に載せておく棚としての美的効果が高まる。
【００１６】
棚２，２Ａ，２Ｂの形状は円形とは限らず、正三角形や正四角形のような正多角形、又は星形多角形であってもよい。また、底板や天板の棚２Ａ、２Ｂの両方又は一方のみを中間の棚２の形状と違えてもよい。さらに、全ての棚２，２Ａ，２Ｂの表面積を同一にして、側面から観たとき矩形となるような構成であってもよい。
【００１７】
箱体３は種々の構成が考えられ、図３は、第１実施例の箱体３を構成する段ボールシート４を展開図により示している。同図で示すように、段ボールシート８は、一点鎖線で示す折り目線を介して上面板５、第１側面板６、底面板７、第２側面板８、接着片９を順に連接して、第１側面板６で上面板５と底面板７に連接しない側の辺の両方には折り目線を介して第１蓋面板１０と第２蓋面板１１をそれぞれ連接して、第２側面板８で底面板７と接着片９と連接しない側の辺の両方には折り目線を介して第３蓋面板１２と第４蓋面板１３をそれぞれ連接して、これら蓋面板１０，１１，１２，１３のそれぞれには折り目線を介して折込片１４を連接している。
【００１８】
箱体３は、図４で示すように、このような段ボールシート４を上面板５と第１側面板６と底面板７と第２側面板８と接着片９とをそれぞれ折り目線で折り曲げて、接着片９を上面板５に接着することで角筒状に形成される。そして、蓋面板１０，１１，１２，１３を折り曲げて、角筒の両端の開口部１５を閉塞することで製箱される。この蓋面板１０，１１，１２，１３の折り曲げ時に、同時にそれぞれの折込片１４も折り曲げて角筒内に収めることで、折込片１４によって上面板５と底面板７との間の中央部の空間が支持されて、これによって箱体３は補強される。
【００１９】
蓋面板１０，１１，１２，１３は、段ボールシート４の短手方向の寸法Ｌの半分の寸法Ｌ／２に設定している。これにより、折込片１４は、段ボールシート４の長手方向の中心線ｃ上で箱体３を内部から支持することになる。しかし、蓋面板１０，１１は同一寸法に限るものではなく、図５の第２実施例で示すように、両方の寸法の和がＬとなるように設定してもよい。蓋面板１２，１３も同様であるが、この場合、蓋面板１０と蓋面板１２の寸法を同一にして、蓋面板１１と蓋面板１３の寸法を同一とすれば、蓋面板１０，１２の折込片１４と蓋面板１１，１３の折込片１４とは、中心線ｃを挟み左右から箱体３を支持するために、箱体３の支持を分散化させることができる。図５に示す例では、蓋面板１０と蓋面板１３の寸法をそれぞれＬ／３とし、蓋面板１１と蓋面板１２の寸法をそれぞれ２Ｌ／３としている。
【００２０】
また、箱体３は、図８の第３実施例で示すように、第１側面板６と第２側面板８のそれぞれの一端のみ段ボールシート４の短手方向の寸法Ｌと同じ寸法を有する蓋面板１６を設けた構成でもよい。この場合、第１側面板６と第２側面板８とで蓋面板１６を連接して設ける端部を左右に異ならせるのが好ましい。そうすることで、第１側面板６側の蓋面板１６は第２側面板８とで箱体３を支持して、第１側面板８側の蓋面板１６は第１側面板６とで箱体３を支持することになるため、支持の均一化が図れる。
【００２１】
そして、箱体３は、上面板５と底面板７が接している棚板２，２Ａ，２Ｂとを接合して、例えば接着剤により接着して、多重棚１が完成される。箱体３を各棚板２，２Ａ，２Ｂの間に配置する場合に、上下の箱体３で蓋面板１０，１１，１２，１３が向いている方向が９０度ずらせて互い違いに配置するのが好ましい。このように配置することで、一の箱体３で各折込片１４が角筒内へ収容される向きと、その上下に位置する箱体３の各折込片１４が角筒内へ収容される向きとが交差することになるため、多重棚１は全体としてバランスよく折込片１４によって補強されることになる。
【００２２】
箱体３は、上面板５と底面板７とがそれぞれ同一面積の正四角形で構成される正四角柱であるが、長方形で構成した直方体の四角柱であってもよい。また、箱体３の平面積は、棚２，２Ａ，２Ｂと同様に、上に積層されるにつれて一定の比率で表面積が小さくなるよう形成しているが、平面積が変わらない同じサイズの箱体３を積層してもよい。また、図６で示すように、各箱体３の上面板５の面積を底面板７の面積より小さく設定して、側面から多重棚１を観たときに各箱体３の全体で略四角錐となるように構成してもよい。
【００２３】
上記した構造の多重棚１は、箱体３の第１及び第２側面板６，８と上下の棚板２，２Ａ，２Ｂにより形成される空間に菓子や果物、小物などを複数段に亘って環状に載せて収容することで、テーブルに置いたとき、何れの方向からも菓子や果物を取り出すことができるため非常に実用的な棚となる。
【００２４】
そして、多重棚１は、角筒の開口部１５を開放するように各箱体３の蓋面板１０，１１，１２，１３を第１側面板６及び第２側面板８とそれぞれ同一平面で連続するように真っ直ぐに延ばし、折込片１４も角筒内から引き出せば、箱体３は支持を失なって、上下方向から力が加えられると簡単に潰れる。これにより、多重棚１は物品を陳列する空間が無くなるため、図７で示すように、上下に圧縮された状態に簡単に折り畳むことができ、不使用時には場所を取らずに収納することができる。
【００２５】
このように、多重棚１を折り畳む場合、上下の箱体３を蓋面板１０，１１，１２，１３が向いている方向を９０度ずらせて互い違いに配置させた多重棚１においては、各箱体３の潰す方向を同じ回転方向で９０度づつずらしていくことで、面積を取らずにコンパクトに折り畳むことができる。
【００２６】
すなわち、図１０で示すように、最下位の箱体３の側面板６、８を矢印ａで示す方向に潰したとき、その上の箱体３の側面板６、８を矢印ｂで示す方向に潰し、同様に更にその上の箱体３の側面板６、８を順次矢印ｃ及び矢印ｄで示す方向に潰していけば、各箱体３の蓋面板１０，１１，１２，１３はそれぞれが異なる方向に延出するためにコンパクトな折り畳みが可能となる。
【００２７】
また、折り畳み式多重棚１において、載置する物品によっては特に強度を必要としない用途の場合がある。図９は、このような多重棚１の箱体３の構成を第４実施例で示している。このときの段ボールシート１８は、図３の段ボールシート４の変形例であり、蓋面板１０，１１，１２，１３は段ボールシート４と同じである。しかし、段ボールシート１８においては、上面板５及び底面板７は、それぞれ上下で接している棚板と接合する接合部のみを残して、破線で示す部分を省略している。このような、段ボールシート１８で箱体３を組み立てたとき、棚２，２Ａ，２Ｂが箱体３の上面板５及び底面板７の一部を兼用することになるが、蓋面板１０，１１，１２，１３によって箱体３の開口部１５を閉塞し、折込片１４によって箱体３を内部から支持することに変わりはない。
【００２８】
上記したように、本考案に係る折り畳み式多重棚１は、簡単に組み立てることができるために、テーブルに手軽に持ち運べて菓子や果物を載置しておける。例えば、みかんを箱ごとに販売する業者は、みかん箱にみかんと共に多重棚１を折り畳んで梱包しておけば、購入者は、多重棚１を組み立ててみかん収容器に利用できるため、手軽にみかんを食することができる。しかも、この折り畳み式多重棚１は、段ボールシート以外の金具の類の組立具を用いていないために安価であるばかりか、廃棄時における環境負荷も少ない等の利点もある。
【００２９】
なお、本考案は上述の実施の形態に限定されるものではなく、実施の形態は本考案の趣旨に基づき種々の変形が可能であり、変形例を本考案の範囲から排除するものではない。
【産業上の利用可能性】
【００３０】
本考案は、段ボールシートによる簡単な構造の折り畳み式多重棚に関するものであり、産業上の利用可能性を有する。
【符号の説明】
【００３１】
１      折り畳み式多重棚
２      棚板
２Ａ    棚板（底板）
２Ｂ    棚板（天板）
３      箱板
４      段ボールシート
５      上面板
６      第１側面板
７      底面板
８      第２側面板
９      接着片
１０    第１蓋面板
１１    第２蓋面板
１２    第３蓋面板
１３    第４蓋面板
１４    折込片
【図１】
0003193284.tif 000003
【図２】
0003193284.tif 000004
【図３】
0003193284.tif 000005
【図４】
0003193284.tif 000006
【図５】
0003193284.tif 000007
【図６】
0003193284.tif 000008
【図７】
0003193284.tif 000009
【図８】
0003193284.tif 000010
【図９】
0003193284.tif 000011
【図１０】
0003193284.tif 000012